(57)【要約】【課題】携帯型通信機器において、電波の受信状況の変化からユーザが機器本体を把持する状態の変化を検出し、その状態に適した表示方向を決定する。【解決手段】電波の受信アンテナを備えた携帯型通信機器１００に表示される画面の向きを制御する画面レイアウト制御装置１０が、前記機器の地面に対する向きを取得する加速度取得部７と、前記アンテナで受信される電波の受信状況を示すアンテナ情報を取得する受信状況取得部６１と、前記アンテナ情報をユーザが前記機器を把持した状態に関する把持情報として生成する把持状態判断部６２と、前記把持情報の経時変化を検出する把持状態変化検出部６３と、前記地面に対する向きと前記把持情報の経時変化が所定の変化量を超えていることとを、前記画面の向きを変更するための条件の１つとして用いる表示方向決定部９とを備える。【選択図】図１
2013009115.tif 000002
【特許請求の範囲】
【請求項１】
電波の受信アンテナを備えた携帯型通信機器に表示される画面の向きを制御する画面レイアウト制御装置であって、
前記通信機器の地面に対する向きを取得する向き取得手段と、
前記アンテナで受信される電波の受信状況を示すアンテナ情報を取得するアンテナ情報取得手段と、
前記アンテナ情報をユーザが前記通信機器を把持した状態に関する把持情報として生成する生成手段と、
前記生成手段が生成した前記把持情報の経時変化を検出する検出手段と、
前記向き取得手段によって取得された地面に対する向きと、前記検出手段によって検出された前記把持情報の経時変化が所定の変化量を超えていることとを、前記画面の向きを変更するための条件の１つとして用いる決定手段とを備えたことを特徴とする画面レイアウト制御装置。
【請求項２】
電波の受信アンテナを備えた携帯型通信機器に表示される画面の向きを制御する画面レイアウト制御装置であって、
前記通信機器の地面に対する向きを取得する向き取得手段と、
前記アンテナで受信される電波の受信状況を示すアンテナ情報を取得するアンテナ情報取得手段と、
前記アンテナ情報の経時変化を検出する検出手段と、
前記向き取得手段によって取得された地面に対する向きと、前記検出手段によって検出された前記アンテナ情報取得手段が取得する前記アンテナ情報の経時変化が所定の変化量を超えていることとを、前記画面の向きを変更するための条件の１つとして用いる決定手段とを備えたことを特徴とする画面レイアウト制御装置。
【請求項３】
前記画面の前方の照度を取得する照度取得手段と、
前記照度の経時変化を検出する照度変化検出手段とをさらに備え、
前記決定手段は、前記照度の経時変化が所定の変化量を超えていることを、前記画面の向きを変更する追加条件として用いることを特徴とする請求項１または２に記載の画面レイアウト制御装置。
【請求項４】
前記携帯型通信機器は前記電波の受信アンテナを互いに異なる箇所に複数備え、
前記アンテナ情報取得手段によって取得される前記アンテナ情報は、前記通信機器の当該複数のアンテナについて測定された電波の受信状況の差異であることを特徴とする請求項１から３のいずれか１項に記載の画面レイアウト制御装置。
【請求項５】
請求項１から４のいずれか１項に記載の画面レイアウト制御装置を備えたことを特徴とする携帯型通信機器。
【請求項６】
表示画面の両端に２本の前記受信アンテナをさらに備えたことを特徴とする請求項５に記載の携帯型通信機器。
【請求項７】
電波の受信アンテナを備えた携帯型通信機器に表示される画面の向きを制御する画面レイアウト制御方法であって、
前記通信機器の地面に対する向きを取得する向き取得ステップと、
前記アンテナで受信される電波の受信状況を示すアンテナ情報を取得するアンテナ情報取得ステップと、
前記アンテナ情報をユーザが前記通信機器を把持した状態に関する把持情報として生成する生成ステップと、
前記生成ステップで生成した前記把持情報の経時変化を検出する検出ステップと、
前記向き取得ステップによって取得された地面に対する向きと、前記検出ステップで検出された前記把持情報の経時変化が所定の変化量を超えていることを、前記画面の向きを変更するための条件の１つとして用いる決定ステップとを含むことを特徴とする画面レイアウト制御方法。
【請求項８】
電波の受信アンテナを備えた携帯型通信機器に表示される画面の向きを制御する画面レイアウト制御方法であって、
前記通信機器の地面に対する向きを取得する向き取得ステップと、
前記アンテナで受信される電波の受信状況を示すアンテナ情報を取得するアンテナ情報取得ステップと、
前記アンテナ情報取得ステップで取得する前記アンテナ情報の経時変化を検出する検出ステップと、
前記向き取得ステップによって取得された地面に対する向きと、前記検出ステップで検出された前記アンテナ情報の経時変化が所定の変化量を超えていることを、前記画面の向きを変更するための条件の１つとして用いる決定ステップとを含むことを特徴とする画面レイアウト制御方法。
【請求項９】
請求項１から４のいずれか１項に記載の画面レイアウト制御装置を動作させるための制御プログラムであって、コンピュータを前記各手段として機能させるための制御プログラム。
【請求項１０】
請求項９に記載の制御プログラムを記録したコンピュータ読み取り可能な記録媒体。
【発明の詳細な説明】
【技術分野】
【０００１】
本発明は、携帯型の情報通信機器に対するユーザの使用状態に応じて、その情報通信機器の表示画面における表示方向を決定する画面レイアウト制御技術に関するものである。
【背景技術】
【０００２】
いわゆるスマートフォンのように、液晶表示画面を備えた携帯型の情報通信機器では、ユーザが機器本体を把持する方向に応じて表示画像の縦横の向き等を自動的に切り替える機能を備えた機種が普及しつつある。例えば、下記の特許文献１には、機器が縦向きに使用されているか横向きに使用されているかを加速度センサによって判別し、その判別結果に基づいて画像の向きを切り替える携帯端末装置が開示されている。
【０００３】
ここで、上記の従来技術に存在する課題について、図１２に基づいて説明する。図１２は、長辺および短辺を有した矩形の表示画面に対するユーザの顔の向きと画面表示の向きとの関係を模式的に示す。例えば、図１２（ａ）に示すように、ユーザが直立の姿勢で機器本体を横向きで把持している場合、表示画面に対するユーザの顔の向きと画面表示の向きとは表示画面の長辺（横幅）とユーザの両目を結ぶ線とが略平行な状態になる。この状態から、ユーザが表示画面に対する顔の向きを維持したまま姿勢を横たえたとき、図１２（ｂ）に示すように表示画像の向きも横のまま維持されることが望ましい。しかし、加速度センサを使うだけの従来技術では、機器本体が縦向きになるため表示画像の向きは縦に切り替わり、図１２（ｃ）に示すように表示画像の向きは維持されない。
【０００４】
この課題を解決するために、ユーザが機器を把持する状態を判別する技術や、表示画面に対するユーザの顔の向きを検出する技術が開発されている。例えば、下記の特許文献２には、アンテナ素子に沿って配置された温度センサの計測値から、ユーザが携帯電話機を把持する状態を検出する方法が開示されている。また、下記の特許文献３には、情報通信機器に備えるカメラからユーザの顔画像を取得し、これを顔認識技術に基づいて解析することで、表示画面に対するユーザの顔の向きを判別する方法が開示されている。
【０００５】
さらに、下記の特許文献４には、タッチパネル内部に感圧センサを備え、このセンサの計測値から入力手段（ユーザの指によるタッチ入力、スタイラスを使った入力など）を判別することにより、各入力手段に最適な入力画面を表示する方法が開示されている。
【先行技術文献】
【特許文献】
【０００６】
【特許文献１】特開２００９−７５９４６号公報（平成２１年４月９日公開）
【特許文献２】特開２００８−１３１５１６号公報（平成２０年６月５日公開）
【特許文献３】特開２００９−１７１２５９号公報（平成２１年７月３０日公開）
【特許文献４】特開２００７−１７９５０２号公報（平成１９年７月１２日公開）
【発明の概要】
【発明が解決しようとする課題】
【０００７】
しかし、上記の特許文献２および４に記載の方法では、使用状況に適した画像へ切り替えるために、従来の情報通信機器にはほとんど搭載されていないセンサを別途備える必要がある。このため、既存の従来機器への適用が困難となるだけでなく、製造コストが高くなったり、筐体が大型化することにより機器の携帯性を損なったりする問題がある。
【０００８】
また、上記の特許文献３に記載の方法では、常にカメラからユーザの顔画像を取得して画像解析を行う必要があるため、計算負荷や消費電力が大きく、特に携帯型の機器で行う処理としては現実的でない。
【０００９】
本発明は、上記の問題点に鑑みてなされたものであり、その目的は、携帯型の情報通信機器に対するユーザの使用状態の変化を簡単な構成で検出し、その状態に適した表示方向を決定できる画面レイアウト制御技術を提供することである。
【課題を解決するための手段】
【００１０】
上記の課題を解決するために、本発明の画面レイアウト制御装置は、
（１）電波の受信アンテナを備えた携帯型通信機器に表示される画面の向きを制御する画面レイアウト制御装置であって、
（２）前記通信機器の地面に対する向きを取得する向き取得手段と、
（３）前記アンテナで受信される電波の受信状況を示すアンテナ情報を取得するアンテナ情報取得手段と、
（４）前記アンテナ情報をユーザが前記通信機器を把持した状態に関する把持情報として生成する生成手段と、
（５）前記生成手段が生成した前記把持情報の経時変化を検出する検出手段と、
（６）前記向き取得手段によって取得された地面に対する向きと、前記検出手段によって検出された前記把持情報の経時変化が所定の変化量を超えていることとを、前記画面の向きを変更するための条件の１つとして用いる決定手段とを備えたことを特徴としている。
【００１１】
また、上記の課題を解決するために、本発明の画面レイアウト制御方法は、
（１）電波の受信アンテナを備えた携帯型通信機器に表示される画面の向きを制御する画面レイアウト制御方法であって、
（２）前記通信機器の地面に対する向きを取得する向き取得ステップと、
（３）前記アンテナで受信される電波の受信状況を示すアンテナ情報を取得するアンテナ情報取得ステップと、
（４）前記アンテナ情報をユーザが前記通信機器を把持した状態に関する把持情報として生成する生成ステップと、
（５）前記生成ステップで生成した前記把持情報の経時変化を検出する検出ステップと、
（６）前記向き取得ステップによって取得された地面に対する向きと、前記検出ステップで検出された前記把持情報の経時変化が所定の変化量を超えていることを、前記画面の向きを変更するための条件の１つとして用いる決定ステップとを含むことを特徴としている。
【００１２】
上記の構成によれば、携帯型通信機器に搭載されている電波の受信アンテナで受信される電波の受信状況は、携帯型通信機器に対するユーザの把持状態（例えば、受信アンテナとユーザの持ち手との重なり具合、または受信アンテナとユーザの持ち手との距離など）によって変化する。したがって、アンテナ情報を取得することにより、ユーザが当該機器を把持する状態を識別できる。
【００１３】
そして、識別した把持状態の時間に対する変化（経時変化）が所定の基準を超える場合は、ユーザが携帯型通信機器を把持する態様を変化させたと判断できる。これにより、当該機器の地面に対する向きと識別した把持状態の変化とに基づいて、当該機器の表示部に表示される画面の向きを制御できる。
【００１４】
したがって、従来のように地面に対する向きを検出するだけでなく、当該機器に対するユーザの使用状態の変化を簡単な構成で検出することにより、当該向きと検出した状態とに適した、より良い表示方向を決定できる。
【００１５】
また、上記の課題を解決するために、本発明の画面レイアウト制御装置は、
（１）電波の受信アンテナを備えた携帯型通信機器に表示される画面の向きを制御する画面レイアウト制御装置であって、
（２）前記通信機器の地面に対する向きを取得する向き取得手段と、
（３）前記アンテナで受信される電波の受信状況を示すアンテナ情報を取得するアンテナ情報取得手段と、
（４）前記アンテナ情報取得手段が取得する前記アンテナ情報の経時変化を検出する検出手段と、
（５）前記向き取得手段によって取得された地面に対する向きと、前記検出手段によって検出された前記アンテナ情報の経時変化が所定の変化量を超えていることを、前記画面の向きを変更するための条件の１つとして用いる決定手段とを備えたことを特徴としている。
【００１６】
さらに、上記の課題を解決するために、本発明の画面レイアウト制御方法は、
（１）電波の受信アンテナを備えた携帯型通信機器に表示される画面の向きを制御する画面レイアウト制御方法であって、
（２）前記通信機器の地面に対する向きを取得する向き取得ステップと、
（３）前記アンテナで受信される電波の受信状況を示すアンテナ情報を取得するアンテナ情報取得ステップと、
（４）前記アンテナ情報取得ステップで取得する前記アンテナ情報の経時変化を検出する検出ステップと、
（５）前記向き取得ステップによって取得された地面に対する向きと、前記検出ステップで検出された前記アンテナ情報の経時変化が所定の変化量を超えていることを、前記画面の向きを変更するための条件の１つとして用いる決定ステップとを含むことを特徴としている。
【００１７】
上記の構成によれば、携帯型通信機器に搭載されている電波の受信アンテナで受信される電波の受信状況は、携帯型通信機器に対するユーザの把持状態（例えば、受信アンテナとユーザの持ち手との重なり具合、または受信アンテナとユーザの持ち手との距離など）によって変化するため、アンテナ情報の時間に対する変化（経時変化）が所定の基準を超える場合は、ユーザが携帯型通信機器を把持する態様を変化させたと判断できる。
【００１８】
すなわち、前記の構成のように、アンテナ情報に基づいてユーザが当該機器を把持する状態を識別することなく、直接アンテナ情報の経時変化を検出し、その検出結果を、ユーザの把持状態の変化の情報とする。これにより、当該機器の地面に対する向きと識別した把持状態の変化とに基づいて、当該機器の表示部に表示される画面の向きを制御できる。
【００１９】
したがって、従来のように地面に対する向きを検出するだけでなく、当該機器に対するユーザの使用状態の変化を簡単な構成で検出することにより、当該向きと検出した状態とに適した、より良い表示方向を決定できる。
【００２０】
また、前記画面レイアウト制御装置は、
（１）前記画面の前方の照度を取得する照度取得手段と、
（２）前記照度の経時変化を検出する照度変化検出手段とをさらに備え、
（３）前記決定手段は、前記照度の経時変化が所定の変化量を超えていることを、前記画面の向きを変更する追加条件として用いることが望ましい。
【００２１】
上記の構成によれば、ユーザが携帯型通信機器を把持する状態の変化だけでなく、当該機器が備える表示部の前方の照度の変化を監視することにより、ユーザの体勢の変化をも検出できる。
【００２２】
したがって、当該機器の地面に対する向き、ユーザの把持状態の変化、およびユーザの体勢の変化に基づいて、当該機器の画面表示の向きを制御できるため、ユーザが当該機器を使用する状態により適した画面表示を実現できる。
【００２３】
また、前記画面レイアウト制御装置では、
（１）前記携帯型通信機器は前記電波の受信アンテナを互いに異なる箇所に複数備え、
（２）前記アンテナ情報取得手段によって取得される前記アンテナ情報は、前記通信機器の当該複数のアンテナについて測定された電波の受信状況の差異であることが望ましい。
【００２４】
上記の構成によれば、アンテナ間における受信状況の偏りを検出するために、受信状況情報の差を計算する。受信状況の分布を定量的に評価できることにより、ユーザが携帯型通信機器を把持する状態の変化を正確に検出できるため、当該機器を使用する状態に適した画面表示を実現できる。
【００２５】
また、本発明の携帯型通信機器は、
（１）上記画面レイアウト制御装置を備えたことを特徴としている。
【００２６】
上記の構成によれば、携帯型通信機器が前記画面レイアウト制御装置を備えていることにより、従来のように地面に対する向きを検出するだけでなく、当該機器に対するユーザの使用状態の変化を簡単な構成で検出することができ、これにより当該向きと検出した状態とに適したより良い画面表示を実現できる。
【００２７】
さらに、本発明の携帯型通信機器は、
（１）表示画面の両端に２本の前記受信アンテナをさらに備えたことを特徴としている。
【００２８】
上記の構成によれば、ユーザが携帯型通信機器を把持する状態を、少ない数の受信アンテナを用いて確実に検出することができる。したがって、前記画面レイアウト制御装置を備える携帯型通信機器は、ユーザが当該機器を使用する状態に適した画面表示を実現できる。
【００２９】
なお、上記画面レイアウト制御装置は、コンピュータによって実現してもよく、この場合には、コンピュータを前記画面レイアウト制御装置の各手段として動作させることにより、前記画面レイアウト制御装置をコンピュータにて実現させる制御プログラム、及びそれを記録したコンピュータ読み取り可能な記録媒体も本発明の範疇に入る。
【発明の効果】
【００３０】
以上のように、本発明の画面レイアウト制御装置および画面レイアウト制御方法によれば、携帯型通信機器に搭載されている受信アンテナを使うだけで、その受信状況の変化からユーザが当該機器を把持する状態の変化を検出できるため、当該機器の地面に対する向きに変化が生じた場合でも、ユーザの把持状態は変化していないと判断できる場合は画面表示の向きを切り替えないなど、ユーザの使用状態に適した画面表示を簡単な構成で実現できるという効果を奏する。
【図面の簡単な説明】
【００３１】
【図１】本発明の一実施形態に係る画面レイアウト制御装置を内蔵する携帯型通信機器の要部構成を示すブロック図である。
【図２】上記携帯型通信機器が２つのアンテナを備える場合、当該携帯型通信機器の筐体における当該アンテナの配置の一例を表した説明図である。
【図３】上記携帯型通信機器に対するユーザの把持状態のヴァリエーションを示す説明図であり、（ａ）は、ユーザが縦向きにした上記携帯型通信機器を左手で把持した状態を表し、（ｂ）は、右手で把持した状態を表し、（ｃ）は、（ａ）の状態から、前述した例のようにユーザが姿勢を横たえる等によって上記携帯型通信機器が横向きになった状態を表している。
【図４】上記携帯型通信機器をユーザが両手で把持した状態を表す説明図であり、（ａ）は、ユーザが横向きにした上記携帯型通信機器を両手で把持した状態を表し、（ｂ）は、（ａ）の状態から、前述した例のようにユーザが姿勢を横たえる等によって上記携帯型通信機器が縦向きになった状態を表している。
【図５】本発明の一実施形態に係る画面レイアウト制御装置を内蔵する携帯型通信機器のより詳細な構成を示すブロック図である。
【図６】上記画面レイアウト制御装置が実行する処理の一例を示すフローチャートである。
【図７】本発明の異なる実施形態に係る画面レイアウト制御装置を内蔵する携帯型通信機器の要部構成を示すブロック図である。
【図８】上記画面レイアウト制御装置が実行する処理の他の例を示すフローチャートである。
【図９】本発明のさらに異なる実施形態に係る画面レイアウト制御装置を内蔵する携帯型通信機器の要部構成を示すブロック図である。
【図１０】上記携帯型通信機器をユーザが片手で把持した状態を表す説明図であり、（ａ）は、ユーザが縦向きにした上記携帯型通信機器を左手で把持した状態を表し、（ｂ）は、右手で把持した状態を表している。
【図１１】上記画面レイアウト制御装置が実行する処理のさらに他の例を示すフローチャートである。
【図１２】表示画面に対するユーザの顔の向きと画面表示の向きとの関係を模式的に示した説明図である。
【発明を実施するための形態】
【００３２】
〔実施の形態１〕
ここでは、本発明の実施の形態１について、図１〜６に基づいて詳細に説明する。なお、以下で説明する実施の形態１では、本発明の画面レイアウト制御装置１０を内蔵した情報通信機器として、携帯型通信機器（以下、単に「通信機器」と称することがある）１００を想定する。
【００３３】
〔概要〕
本実施の形態に係る画面レイアウト制御装置１０の概要について、図２に基づいて説明する。図２は、画面レイアウト制御装置１０を内蔵した通信機器１００（図１参照）が電波を受信する２つのアンテナ２１ａおよび２１ｂを備える場合、通信機器１００の筐体における当該アンテナ２１ａおよび２１ｂの配置の一例を表す。図示のように、通信機器１００は表示部５を筐体の前面に有し、その両端部に電波を受信するアンテナ２１ａおよび２１ｂを備えている。なお、以下ではアンテナ２１ａおよび２１ｂを、アンテナ２１と総称することがある。
【００３４】
また、通信機器１００の筐体の前面形状は長辺および短辺を備えた矩形であり、表示部５の画面形状と上記筐体の前面形状とは略相似形である。ここで、上記長辺を水平にした状態を通信機器１００を「横向き」にした状態とし、上記短辺を水平にした状態を通信機器１００を「縦向き」にした状態とする。なお、表示部５には、タッチパネルの機能を備えた液晶ディスプレイや、有機ＥＬディスプレイなどを採用できる。
【００３５】
次に、ユーザが縦向きで携帯型通信機器１００を把持した状態と電波の受信状況の変化との関係について、図３に基づいて説明する。図３（ａ）は、ユーザが縦向きにした携帯型通信機器１００を左手で把持した状態を表し、同図（ｂ）は、右手で把持した状態を表す。また、同図（ｃ）は、同図（ａ）の状態から、前述した例のようにユーザが姿勢を横たえる等によって携帯型通信機器１００が横向きになった状態を表す。
【００３６】
図３（ａ）および（ｂ）に示されるように、ユーザが縦向きにした通信機器１００を片手で把持した場合、通信機器１００の地面に対する向きとして、例えば加速度センサによって計測される加速度（通信機器１００の地面に対する重力）の向きは、通信機器１００の長手方向と平行である。また、２つ備えられたアンテナ２１のうち一方（図３ではアンテナ２１ｂ）は、ユーザの片手で覆われることにより、受信状況（受信感度）が他方（図３ではアンテナ２１ａ）よりも悪化している。
【００３７】
この状態から、同図（ｃ）に示されるように携帯型通信機器１００が横向きになった場合、計測される加速度の向きは、携帯型通信機器１００の短手方向と平行な向きに変化する。一方で、片手で携帯型通信機器１００を把持したままであるため、２つのアンテナ２１の受信状況の差は変化しない。
【００３８】
本実施の形態に係る画面レイアウト制御装置１０は、取得された通信機器の向きに変化が生じた場合であっても、受信状況の差に変化が生じないことによりユーザの把持状態は変化していないと判断できる場合は、表示部５における画面表示の向きを縦から横に切り替えない。
【００３９】
次に、ユーザが携帯型通信機器１００を横向きに把持した状態と電波の受信状況の変化との関係について、図４に基づいて説明する。図４（ａ）は、横向きにした通信機器１００をユーザが両手で把持した状態を表し、同図（ｂ）は、同図（ａ）の状態から、前述した例のようにユーザが姿勢を横たえる等によって通信機器１００が縦向きになった状態を表す。
【００４０】
図４（ａ）に示されるように、横向きにした通信機器１００をユーザが両手で把持した場合、計測される加速度の向きは携帯型通信機器１００の短手方向と平行である。また、２つ備えられたアンテナ２１のそれぞれが、ユーザの左右の手で覆われることにより受信状況が悪化している。この状態からユーザが把持状態を変えることなく、同図（ｂ）に示されるように通信機器１００を縦向きにした場合、計測される加速度の向きは変化する一方で、２つのアンテナ２１の受信状況の差は変化しない。
【００４１】
前述と同様に、本実施の形態に係る画面レイアウト制御装置１０は、取得された通信機器１００の向きに変化が生じた場合であっても、受信状況の差に変化が生じないことによりユーザの把持状態は変化していないと判断できる場合は、画面表示の向きを横から縦に切り替えない。
【００４２】
〔携帯型通信機器１００の構成〕
本実施の形態に係る携帯型通信機器１００の構成について、図１に基づいて説明する。図１は、携帯型通信機器１００の要部構成を示すブロック図である。図示のように、通信機器１００は、画面レイアウト制御装置１０、受信部２、センサ部３、記憶部４、および表示部５を含む。
【００４３】
受信部２は、アンテナ２１ａおよび２１ｂと、それぞれの受信状況を測定する２つの受信状況測定部２２ａおよび２２ｂとを含む。なお、以下では受信状況測定部２２ａおよび２２ｂを、受信状況測定部２２と総称することがある。また、センサ部３は加速度検出部３１を含む。
【００４４】
画面レイアウト制御装置１０は、受信状況取得部（アンテナ情報取得手段）６１、把持状態判断部（生成手段）６２、把持状態変化検出部（検出手段）６３、加速度取得部（向き取得手段）７、および表示方向決定部（決定手段）９を含む。なお、本実施の形態に直接関係のない部分（例えば一般的な携帯型通信機器に含まれることの多い、通話や画像撮影などを実現する部分）は、構成の説明およびブロック図から省略した。
【００４５】
以下、説明の都合で、受信部２（アンテナ２１、受信状況測定部２２）、センサ部３（加速度検出部３１）、画面レイアウト制御装置１０（受信状況取得部６１、把持状態判断部６２、把持状態変化検出部６３、加速度取得部７、表示方向決定部９）、記憶部４、表示部５の順序で各構成が担う機能を説明する。
【００４６】
（受信部２）
受信部２は、受信状況測定部２２で測定された測定値から受信状況情報を生成する。ここで、受信状況情報とは、電波の受信状況を示す情報であり、受信状況を直接的に示す数値（例えば、電波の電界強度、ビット誤り率など）、受信状況のレベルを段階的に示すように当該数値から算出される記号情報（例えば、「強」、「中」、「弱」など）、または受信状況を示す数値に対して演算を行うことによって得られる数値などが含まれる。すなわち、アンテナ２１ａおよび２１ｂの間に生じる受信状況の差異を定量化できる情報でありさえすれば、どのような形式であってもよい。
【００４７】
アンテナ２１は、電波を受信するアンテナであり、ユーザが通信機器１００を両手で把持した場合に想定される手の位置に配置されているものとする。ただし、通信機器１００に対するユーザの把持状態（例えば、横向き両手持ち、横向き右手持ち、横向き左手持ち、縦向き右手持ち、または縦向き左手持ちなど）によってアンテナ２１の受信状況に差異が生じていることが適切に検出できさえすれば、アンテナ２１の設置数、および／またはアンテナ２１それぞれの物理的形状は特に限定されない。
【００４８】
受信状況測定部２２は、アンテナ２１で受信された電波の強度等を測定できる機器である。
【００４９】
（センサ部３）
センサ部３は、これに含まれる計測装置が計測する値を画面レイアウト制御装置１０に出力する。
【００５０】
加速度検出部３１は、加速度（携帯型通信機器１００の地面に対する重力）の向きを計測する機器であり、例えば一般的な携帯型の情報通信機器が備える加速度センサでよい。
【００５１】
（画面レイアウト制御装置１０）
画面レイアウト制御装置１０は、受信部２およびセンサ部３からの各種測定値の入力を受けて、表示部５へ表示する画面の向きの情報を生成して出力する装置である。なお、この出力は、縦向きまたは横向きのいずれであるかを識別できるものでありさえすれば何でもよい。
【００５２】
受信状況取得部６１は、受信部２から受信状況情報を取得し、これらの差異を計算して（例えば、２つの受信状況情報の差の絶対値をとるなどにより計算できる）、これを把持状態判断部６２へ出力する。ここで、複数の受信状況情報から計算できる受信状況の差異を、以下では「受信状況の差分情報」、または単に「差分情報」と呼ぶ。
【００５３】
把持状態判断部６２は、受信状況の差分情報から、ユーザが通信機器１００を把持する状態を判断する。例えば、差分情報が所定のしきい値を上回っている場合は、アンテナ２１のうち一方の受信状況が他方よりも悪化しているとして、把持状態は「片手持ち」と判断され、そうでない場合は、両方とも受信状況が悪化しているとして、把持状態は「両手持ち」と判断される。
【００５４】
または、通信機器１００に備えられたアンテナ２１の数、通信機器１００の筐体におけるアンテナ２１の設置箇所、アンテナ２１の形状により、例えば上記「片手持ち」は「右手持ち」または「左手持ち」のように分類できる。把持状態判断部６２は、こうした判断結果を把持状態変化検出部６３へ出力する。
【００５５】
また、把持状態判断部６２は、判断した把持状態を表示部５にも出力する。これにより、表示部５は、ユーザの把持状態に応じてアイコンの表示位置を変更するなどの処理を行える。この具体的な処理については、把持状態の利用例として後で詳述する。
【００５６】
把持状態変化検出部６３は、把持状態判断部６２から把持状態についての判断結果の入力を受けるとともに、記憶部４から前回の判断結果を読み出し、前回値と今回値とが異なる場合は、ユーザの把持状態が変化したことを示す情報を表示方向決定部９へ出力する。なお、出力するこの情報は、変化があったことを明示するものでありさえすれば何でもよい。その後、把持状態判断部６２から入力された今回の判断結果を記憶部４に出力し、これを記憶させる。なお、本実施の形態では、把持状態変化検出部６３は前回値と今回値とだけを比較するが、例えば前回値と前々回値との平均値を用いるなどにより、前々回の値を計算過程に加えてもよい。すなわち、履歴の長さは１（前回値のみ）に限られず、任意の長さの履歴を用いて変化を検出してよい。
【００５７】
加速度取得部７は、加速度検出部３１で計測された加速度を取得し、この向きと筐体との関係（より詳細には、あらかじめセンサに設定された３軸との相対的な位置関係）が前回の取得時から変化している場合は、取得した加速度を表示方向決定部９および表示部５へ出力する。
【００５８】
表示方向決定部９は、加速度取得部７から入力された加速度、および把持状態変化検出部６３から入力された把持状態の変化の有無を総合して、通信機器１００が表示部５へ表示する画面の縦横の向きを決定する。これを決定するための具体的な処理については、後で詳述する。
【００５９】
（記憶部４）
記憶部４は、把持状態変化検出部６３が受信状況の前回測定値を読み出し、今回測定値を記憶するために用いる不揮発性の記憶装置であり、例えば半導体メモリ、ハードディスク、ＤＶＤ等で構成できる。なお、本実施の形態では、記憶部４は通信機器１００に内蔵される装置として図１に示しているが、通信機器１００の外部に接続された外部記憶装置として実現されてもよい。
【００６０】
（表示部５）
表示部５は、文字や画像などを表示する装置である。前記表示方向決定部９が出力する表示の向きの情報、加速度取得部７が出力する加速度、または把持状態判断部６２が出力する把持状態の判断結果などに応じて、表示の向きや表示の形式を適宜変更するように、映像信号を処理して表示する機能さえあれば装置の種類は限定されない。
【００６１】
〔把持状態の利用例〕
表示部５は、把持状態判断部６２から入力されるユーザの把持状態と加速度取得部７から入力される加速度とに応じて、表示形式を変更できる。すなわち、把持状態と加速度とにより、例えば、「両手持ち」、「横向き右手持ち」、「横向き左手持ち」、「縦向き右手持ち」、または「縦向き左手持ち」のいずれの状態で使用されているかが分類できるため、これらの状態とその状態における表示方式との対応付けを記憶部４に記憶しておくことで、表示部５は分類結果に応じた多様な形式で表示できる。
【００６２】
例えば、現在の状態を「横向き右手持ち」と分類した場合に、ユーザがタッチするアイコンの列を画面の左端に表示し、左手指でタッチしやすくするような表示形式を実現できる。
【００６３】
〔携帯型通信機器１００のより詳細な構成〕
本実施の形態に係る通信機器１００のより詳細な構成の例について、図５に基づいて説明する。図５は、通信機器１００のより詳細な構成例を示すブロック図である。前述と同様に、通信機器１００は、主制御部（画面レイアウト制御装置）１０、受信部２、センサ部３、記憶部４、および表示部５を含み、操作入力部８をさらに含む。
【００６４】
受信部２は、受信状況測定部２２ａおよび２２ｂを含み、受信状況測定部２２は、それぞれアンテナ２１ａ、２１ｂ、接合部２２１ａ、２２１ｂ、および送受信部２２２ａ、２２２ｂを含む。ここでも、複数のアンテナ２１の間で受信状況に差異が生じていることが適切に検出できさえすれば、受信状況測定部２２（すなわち、アンテナ２１、接合部２２１および送受信部２２２）は３つ以上備えられていてよい。
【００６５】
センサ部３は加速度検出部３１を含む。
【００６６】
主制御部（画面レイアウト制御装置）１０は、持ち方判別部（把持状態判断部６２、把持状態変化検出部６３）６９、センサ判別部（加速度取得部）７、操作判定部８３、および画面回転制御部（表示方向決定部）９を含む。持ち方判別部６９は、受信電力取得部（受信状況取得部）６１、操作前受信電力記録部６５、操作後受信電力記録部６６、受信電力変化量記録部６７、および比較部６８を含み、センサ判別部７は、センサ感度取得部７１、変化前センサ感度記録部７２、変化後センサ感度記録部７３、センサ感度変化量記録部７４、および比較部７５を含む。
【００６７】
以下で、上記の各構成を説明する。また、すでに説明した構成には同一の符号を付すことにより重複する説明を省略する。
【００６８】
接合部２２１は、アンテナ２１と送受信部２２２を物理的に接合して計測値を中継する接触部分である。また、送受信部２２２は、計測値を主制御部１０へ伝送するインターフェースである。
【００６９】
持ち方判別部６９は、把持状態判断部６２および把持状態変化検出部６３の機能を有する部分である。すなわち、受信電力取得部６１、操作前受信電力記録部６５、操作後受信電力記録部６６、受信電力変化量記録部６７、および比較部６８により、取得した受信状況情報の偏り具合からユーザの把持状態を判断し、これが前回値と今回値とで異なる場合は、把持状態が変化したことを示す情報を画面回転制御部９へ出力する。
【００７０】
センサ判別部７は、センサ感度取得部７１、変化前センサ感度記録部７２、変化後センサ感度記録部７３、センサ感度変化量記録部７４、および比較部７５により、加速度検出部３１で計測された加速度を取得し、この加速度の向きと筐体との関係が前回の取得時から変化している場合は、取得した加速度（あるいは、その変化を示す情報）を画面回転制御部９へ出力する。
【００７１】
操作判定部８３は、操作入力部８を介したユーザからの入力内容を判定し、判定した入力情報を受信電力取得部６１およびセンサ感度取得部７１に出力する。
【００７２】
〔画面レイアウト制御装置１０が実行する処理〕
画面レイアウト制御装置１０が実行する処理の流れを、図６に基づいて説明する。図６は、画面レイアウト制御装置１０が実行する処理の一例を示すフローチャートである。
【００７３】
まず、加速度検出部３１が測定した加速度を、加速度取得部７が取得し（ステップ１：以下、Ｓ１のように略記する）、この加速度の向きと筐体との関係が前回の取得時から変化しているか否かを判断する（Ｓ２）。変化している場合（Ｓ２においてＹＥＳ）は取得した加速度を表示方向決定部９へ出力して受信状況取得部６１に制御を移し、変化していない場合（Ｓ２においてＮＯ）は処理を終了する。なお、Ｓ２の判定処理は、Ｓ３、Ｓ４、またはＳ５の後に行ってもよい。
【００７４】
加速度取得部７から受信状況取得部６１に制御が移ると、受信状況取得部６１は、受信状況測定部２２の測定値に基づいて受信部２が生成した受信状況情報を取得し（Ｓ３）、これに基づいて計算した受信状況の差分情報を把持状態判断部６２へ出力する。あるいは、受信状況取得部６１は、受信状況情報を常時取得し、上記差分情報を生成して把持状態判断部６２へ出力してもよい。
【００７５】
把持状態判断部６２は、上記差分情報に基づいて、ユーザが通信機器１００を把持する状態を判断し（Ｓ４）、この判断結果を把持状態変化検出部６３へ出力する。例えば、図３（ａ）で表される把持状態では、ユーザの親指付け根と手のひらとで覆われることにより、アンテナ２１ｂの受信状況が悪くなっていることが検出できる。したがって、把持状態判断部６２は、「片手持ち」との判断結果を把持状態変化検出部６３へ出力する。または、アンテナ２１ｂの形状等により、アンテナ２１ｂの左側部分の受信状況が特に悪化していることが精度良く検出できる場合、把持状態判断部６２は「左手持ち」との判断結果を把持状態変化検出部６３へ出力してもよい。
【００７６】
一方、図４（ａ）または（ｂ）で表される把持状態では、アンテナ２１ａおよび２１ｂのいずれの受信状況も悪くなっていることが検出できるため、把持状態判断部６２は、「両手持ち」との判断結果を把持状態変化検出部６３へ出力する。
【００７７】
把持状態変化検出部６３は、把持状態判断部６２から入力された今回の判断結果と記憶部４から読み出した前回の判断結果とから、把持状態が変化したか否かを判断する（Ｓ５）。変化したと判断する場合（Ｓ５においてＹＥＳ）、把持状態変化検出部６３はユーザの把持状態に変化があったことを示す情報を表示方向決定部９へ出力する。一方、変化しないと判断する場合（Ｓ５においてＮＯ）、画面レイアウト制御装置１０は処理を終了する。
【００７８】
最後に、表示方向決定部９は、現在の画面表示の向きを変更する（Ｓ６）。すなわち、表示の向きが縦であるときは横に、横であるときは縦に変更する。
【００７９】
〔画面レイアウト制御装置１０の効果〕
以上のように、画面レイアウト制御装置１０によれば、携帯型通信機器１００に新たなセンサ等を追加することなく、携帯電話等の携帯型通信機器であれば当然搭載されている受信状況測定部２１を使うだけでユーザの把持状態を把握でき、この変化に基づいて画面表示の向きを制御できる。
【００８０】
したがって、加速度の向きに変化が生じた場合でも、ユーザの把持状態は変化していないと判断できる場合は画面表示の向きを切り替えないなど、ユーザの使用状態に適した画面表示を実現できる。
【００８１】
〔実施の形態２〕
ここでは、本発明の実施の形態２について、図７〜８に基づいて詳細に説明する。なお、以下で説明する実施の形態２では、本発明の画面レイアウト制御装置２０を内蔵した情報通信機器として、携帯型通信機器２００を想定する。
【００８２】
〔概要〕
前述した実施の形態１では、把持状態判断部６２が、差分情報からユーザが片手持ちしているか両手持ちしているか等の状態を判断し、把持状態変化検出部６３がこの判断結果について前回値と今回値とを比較して、両者が異なっていればユーザの把持状態が変化したことを表示方向決定部９へ出力した。しかし、こうした明示的な把持状態の判断は必ずしも必要でない。
【００８３】
すなわち、把持状態の判断を介さず、直接差分情報の値について前回値と今回値とを比較すればよい。後で詳述するように、本実施の形態では、表示の向きの決定のために把持状態の判断を行うことなく受信状況の変化を直接検出し、その検出結果を、ユーザの把持状態の変化の情報として表示方向決定部９へ通知する。
【００８４】
〔携帯型通信機器２００の構成〕
本実施の形態に係る携帯型通信機器２００の構成について、図７に基づいて説明する。図７は、携帯型通信機器２００の要部構成を示すブロック図である。図示のように、携帯型通信機器２００は、画面レイアウト制御装置２０、受信部２、センサ部３、記憶部４、および表示部５を含む。受信部２は、アンテナ２１ａおよび２１ｂと、それぞれの受信状況を測定する受信状況測定部２２ａおよび２２ｂとを含み、センサ部３は加速度検出部３１を含む。
【００８５】
また、画面レイアウト制御装置２０は、受信状況取得部６１、把持状態判断部６２、受信状況変化検出部（受信状況変化検出手段）６４、加速度取得部７、および表示方向決定部９を含む。ここで、前述した画面レイアウト制御装置１０に含まれる把持状態変化検出部６３は、画面レイアウト制御装置２０には含まれず、代わりに受信状況変化検出部６４が含まれることに注意する。
【００８６】
前述と同様に、本実施の形態に直接関係のない部分は、構成の説明およびブロック図から省略した。また、前述した携帯型通信機器１００に含まれる構成と同一の構成には同一の符号を付すことにより重複する説明を省略するため、受信状況取得部６１の前述とは異なる一部の機能、および受信状況変化検出部６４が担う機能のみを説明する。
【００８７】
受信状況取得部６１は、受信部２から２つの受信状況情報を取得し、受信状況の差分情報を計算して、これを受信状況変化検出部６４へ出力する。
【００８８】
受信状況変化検出部６４は、受信状況取得部６１から受信状況の差分情報の入力を受けるとともに、記憶部４から前回の受信状況の差分情報を読み出し、前回値と今回値との差（変化量）を計算する。そして、この変化量が所定のしきい値を上回っている場合は、ユーザの把持状態が変化したことを示す情報を表示方向決定部９へ出力する。なお、出力するこの情報は、変化があったことを明示するものでありさえすれば何でもよい。その後、受信状況取得部６１から入力された今回の受信状況の差分情報を記憶部４に出力し、これを記憶させる。
【００８９】
なお、実施の形態１と同様に、本実施の形態においても画面レイアウト制御装置２０に把持状態判断部６２が含まれているが、判断した把持状態は表示部５にしか出力されない点に注意する。
【００９０】
〔画面レイアウト制御装置２０が実行する処理〕
画面レイアウト制御装置２０が実行する処理の流れを、図８に基づいて説明する。図８は、画面レイアウト制御装置２０が実行する処理の一例を示すフローチャートである。ここで、画面レイアウト制御装置２０が実行する処理は、図６を参照して説明した画面レイアウト制御装置１０が実行する処理とほとんど同一であり、同一の処理については同一の符号を付すことにより重複する説明を省略する。したがって、以下では受信状況変化検出部６４がＳ７で実行する処理のみを説明する。
【００９１】
受信状況変化検出部６４は、受信状況取得部６１から入力された今回の差分情報と、記憶部４から読み出した前回の差分情報とから変化量を計算し、この変化量と所定のしきい値とを比較することで、受信状況が変化したか否かを判断する（Ｓ７）。変化したと判断する場合（Ｓ７においてＹＥＳ）、受信状況変化検出部６４はユーザの把持状態に変化があったことを示す情報を表示方向決定部９へ出力する。一方、変化しないと判断する場合（Ｓ７においてＮＯ）、画面レイアウト制御装置２０は処理を終了する。なお、前述と同様に、Ｓ２の判定処理はＳ３またはＳ７の後に行ってもよい。
【００９２】
〔画面レイアウト制御装置２０の効果〕
以上のように、画面レイアウト制御装置２０によれば、携帯型通信機器２００に新たなセンサ等を追加することなく、携帯電話等の携帯型通信機器であれば当然搭載されている受信状況測定部２１を使うだけでユーザの把持状態を把握でき、この変化に基づいて画面表示の向きを制御できる。
【００９３】
したがって、加速度の向きに変化が生じた場合でも、電波状況が変化していない場合は画面表示の向きを切り替えないなど、ユーザの使用状態に適した画面表示を実現できる。
【００９４】
〔実施の形態３〕
ここでは、本発明の実施の形態３について、図９〜１１に基づいて詳細に説明する。なお、以下で説明する実施の形態３では、本発明の画面レイアウト制御装置３０を内蔵した情報通信機器として、携帯型通信機器３００を想定する。
【００９５】
〔概要〕
前述した図４（ｂ）の状態から、ユーザがいずれか一方の手を携帯型通信機器３００から離した場合の動作について、図１０に基づいて説明する。図１０（ａ）は、ユーザが縦向きにした携帯型通信機器３００を左手で把持した状態を表し、同図（ｂ）は、右手で把持した状態を表す。前述した図４（ｂ）が示す状態からユーザが片手を離すと（図１０（ａ）または（ｂ）のいずれかの状態）、受信状況の差に変化が生じるため、画面表示の向きが横から縦に切り替わってしまうという不具合が考えられる。
【００９６】
特に、前述した実施の形態１または２において、加速度の向きと筐体との関係が前回の取得時から変化しているか否かを判定する処理（図６および８において、Ｓ２における処理）を行わない場合など、加速度の変化を画面表示の向きを変更する前提としない場合、受信状況の差の変化のみにより表示の向きが変更されるという不具合が生じ得る。
【００９７】
本実施の形態に係る画面レイアウト制御装置３０は、携帯型通信機器３００が備える照度検出部（照度センサ）３２から表示部５前方の照度を取得し、これに変化が生じた場合のみ画面表示の向きを切り替える。すなわち、ユーザが表示部５を見続けている間は、からだを横たえてもその頭部により表示部５前方の照度はさほど変化しないため、把持状態が変化したことにより受信状況の差に変化が生じても、照度に変化が生じなければ、ユーザは体勢を変えていないと判断し、画面レイアウト制御装置３０は画面表示の向きを横から縦に切り替えない。
【００９８】
〔携帯型通信機器３００の構成〕
本実施の形態に係る携帯型通信機器３００の構成について、図９に基づいて説明する。図９は、携帯型通信機器３００の要部構成を示すブロック図である。図示のように、携帯型通信機器３００は、画面レイアウト制御装置３０、受信部２、センサ部３、記憶部４、および表示部５を含む。受信部２は、アンテナ２１ａおよび２１ｂと、それぞれの受信状況を測定する受信状況測定部２２ａおよび２２ｂとを含み、センサ部３は加速度検出部３１、および照度検出部３２を含む。
【００９９】
また、画面レイアウト制御装置３０は、受信状況取得部６１、受信状況変化検出部６４、加速度取得部７、照度取得部８１、照度変化検出部８２、および表示方向決定部９を含む。
【０１００】
前述と同様に、本実施の形態に直接関係のない部分は構成の説明およびブロック図から省略した。また、前述した携帯型通信機器１００に含まれる構成と同一の構成には同一の符号を付すことにより重複する説明を省略するため、照度検出部３２、照度取得部８１、照度変化検出部８２、および表示方向決定部９が担う機能のみを説明する。
【０１０１】
照度検出部３２は、表示部５前方の照度を測定する機器であり、例えば照度センサでよい。なお、ＧＰＳで携帯型通信機器３００の現在位置を取得することにより、または携帯型通信機器３００の正面に付属するカメラでユーザの顔を撮影し、画像認識によりユーザの視線の方向や頭部の向きなどを識別することにより、受信状況の差に変化が生じる場合でも画面の向きを変化させないことを判断できるため、照度検出部３１に代えてこれらの機器を使ってもよい。
【０１０２】
照度取得部８１は、照度検出部３２で計測された照度情報を取得し、これを照度変化検出部８２へ出力する。
【０１０３】
照度変化検出部８２は、照度取得部８１から照度の入力を受けるとともに、記憶部４から前回の照度を読み出し、前回値と今回値との差（変化量）を計算する。そして、この変化量が所定のしきい値を上回っている場合は、ユーザの頭部位置が変化したことを示す情報を表示方向決定部９へ出力する。なお、出力するこの情報は、変化があったことを明示するものでありさえすれば何でもよい。その後、照度取得部８１から入力された今回の照度情報を記憶部４に出力し、これを記憶させる。
【０１０４】
なお、本実施の形態では、照度変化検出部８２は前回値と今回値とだけを比較するが、例えば前回値と前々回値との平均値を用いるなどにより、前々回の値を計算過程に加えてもよい。すなわち、履歴の長さは１（前回値のみ）に限られず、任意の長さの履歴を用いて変化を検出してよい。
【０１０５】
表示方向決定部９は、加速度取得部７から入力された加速度、把持状態変化検出部６３から入力された把持状態の変化の有無、および照度変化検出部８２から入力されたユーザの頭部位置の変化の有無を総合して、携帯型通信機器１００が表示部５へ表示する画面の縦横の向きを決定する。
【０１０６】
〔画面レイアウト制御装置３０が実行する処理〕
画面レイアウト制御装置３０が実行する処理の流れを、図１１に基づいて説明する。図１１は、画面レイアウト制御装置３０が実行する処理の一例を示すフローチャートである。ここで、画面レイアウト制御装置３０が実行する処理は、図６を参照して説明した画面レイアウト制御装置１０が実行する処理とほとんど同一であり、同一の処理については同一の符号を付すことにより重複する説明を省略する。したがって、以下では照度取得部８１がＳ８で実行する処理、および照度変化検出部８２がＳ９で実行する処理のみを説明する。
【０１０７】
照度検出部３２が測定した照度を、照度取得部８１が取得し（Ｓ８）、これを照度変化検出部８２へ出力する。照度変化検出部８２は、照度取得部８１から入力された今回の照度と、記憶部４から読み出した前回の照度とから変化量を計算し、この変化量と所定のしきい値とを比較することで、照度が変化したか否かを判断する（Ｓ９）。変化したと判断する場合（Ｓ９においてＹＥＳ）、照度に変化があったことを示す情報を表示方向決定部９へ出力する。一方、変化しないと判断する場合（Ｓ９においてＮＯ）、画面レイアウト制御装置３０は処理を終了する。なお、前述と同様に、Ｓ２の判定処理はＳ３、Ｓ４、Ｓ５、Ｓ８またはＳ９の後に行ってもよい。
【０１０８】
〔画面レイアウト制御装置３０の効果〕
以上のように、画面レイアウト制御装置３０によれば、携帯型通信機器３００に新たなセンサ等を追加することなく、携帯電話等の携帯型通信機器であれば当然搭載されている受信状況測定部２１を使うだけでユーザの把持状態を把握でき、この変化に基づいて画面表示の向きを制御できる。また、ユーザの把持状態の変化に加えて、表示部５前方の照度の変化を監視することにより、ユーザの体勢の変化を把握でき、この変化に基づいても画面表示の向きを制御できる。
【０１０９】
したがって、加速度の向きに変化が生じた場合でも、ユーザの把持状態および体勢は変化していないと判断できる場合は画面表示の向きを切り替えないなど、ユーザの使用状態に適した画面表示を実現できる。
【０１１０】
〔参考例〕
電波の受信アンテナを備えた携帯型通信機器に表示される画面の向きを制御する画面レイアウト制御装置であって、前記通信機器の地面に対する向きを取得する向き取得手段と、前記アンテナで受信される電波の受信状況を示すアンテナ情報を取得するアンテナ情報取得手段と、前記アンテナ情報取得手段が取得するアンテナ情報の経時変化を検出し、その経時変化の仕方に応じて、ユーザが前記通信機器を把持した状態に関する把持情報を出力する検出手段と、前記検出手段から出力された前記把持情報に応じて、前記画面の向きを決定する決定手段とを備えたことを特徴とする画面レイアウト制御装置。
【０１１１】
〔ソフトウェアによる実現例〕
最後に、画面レイアウト制御装置１０、画面レイアウト制御装置２０、画面レイアウト制御装置３０の各ブロック、特に制御部５は、集積回路（ＩＣチップ）上に形成された論理回路によってハードウェア的に実現してもよいし、ＣＰＵ（Ｃｅｎｔｒａｌ  Ｐｒｏｃｅｓｓｉｎｇ  Ｕｎｉｔ）を用いてソフトウェア的に実現してもよい。
【０１１２】
後者の場合、画面レイアウト制御装置１０、画面レイアウト制御装置２０、画面レイアウト制御装置３０は、各機能を実現するプログラムの命令を実行するＣＰＵ、上記プログラムを格納したＲＯＭ（Ｒｅａｄ  Ｏｎｌｙ  Ｍｅｍｏｒｙ）、上記プログラムを展開するＲＡＭ（Ｒａｎｄｏｍ  Ａｃｃｅｓｓ  Ｍｅｍｏｒｙ）、上記プログラムおよび各種データを格納するメモリ等の記憶装置（記録媒体）などを備えている。そして、本発明の目的は、上述した機能を実現するソフトウェアである画面レイアウト制御装置１０、画面レイアウト制御装置２０、画面レイアウト制御装置３０の制御プログラムのプログラムコード（実行形式プログラム、中間コードプログラム、ソースプログラム）をコンピュータで読み取り可能に記録した記録媒体を、上記画面レイアウト制御装置１０、画面レイアウト制御装置２０、画面レイアウト制御装置３０に供給し、そのコンピュータ（またはＣＰＵやＭＰＵ）が記録媒体に記録されているプログラムコードを読み出し実行することによっても、達成可能である。
【０１１３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カードなどのカード類、マスクＲＯＭ／ＥＰＲＯＭ／ＥＥＰＲＯＭ／フラッシュＲＯＭ等の半導体メモリ類、あるいはＰＬＤ（Ｐｒｏｇｒａｍｍａｂｌｅ  ｌｏｇｉｃ  ｄｅｖｉｃｅ）やＦＰＧＡ（Ｆｉｅｌｄ  Ｐｒｏｇｒａｍｍａｂｌｅ  Ｇａｔｅ  Ａｒｒａｙ）などの論理回路類などを用いることができる。
【０１１４】
また、画面レイアウト制御装置１０、画面レイアウト制御装置２０、画面レイアウト制御装置３０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、ＩＥＥＥ８０２．１１無線、ＨＤＲ（Ｈｉｇｈ  Ｄａｔａ  Ｒａｔｅ）、ＮＦＣ（Ｎｅａｒ  Ｆｉｅｌｄ  Ｃｏｍｍｕｎｉｃａｔｉｏｎ）、ＤＬＮＡ（Ｄｉｇｉｔａｌ  Ｌｉｖｉｎｇ  Ｎｅｔｗｏｒｋ  Ａｌｌｉａｎｃｅ）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１５】
本発明は、本体の向きに合わせて画面表示の向きを切り替える携帯型の通信機器に適用できる。
【符号の説明】
【０１１６】
２    受信部
３    センサ部
４    記憶部
５    表示部
７    加速度取得部（向き取得手段）、センサ判別部
８    操作入力部
９    表示方向決定部（決定手段）、画面回転制御部
１０    画面レイアウト制御装置、主制御部
２０    画面レイアウト制御装置
２１    アンテナ
２２    受信状況測定部
３０    画面レイアウト制御装置
３１    加速度検出部
３２    照度検出部
６１    受信状況取得部（アンテナ情報取得手段）、受信電力取得部
６２    把持状態判断部（生成手段）
６３    把持状態変化検出部（検出手段）
６４    受信状況変化検出部（検出手段）
６５    操作前受信電力記録部
６６    操作後受信電力記録部
６７    受信電力変化量記録部
６８    比較部
６９    持ち方判別部
７１    センサ感度取得部
７２    変化前センサ感度記録部
７３    変化後センサ感度記録部
７４    センサ感度変化量記録部
７５    比較部
８１    照度取得部（照度取得手段）
８２    照度変化検出部（照度変化検出手段）
８３    操作判定部
１００    携帯型通信機器
２００    携帯型通信機器
２２１    接合部
２２２    送受信部
３００    携帯型通信機器
【図１】
2013009115.tif 000003
【図２】
2013009115.tif 000004
【図３】
2013009115.tif 000005
【図４】
2013009115.tif 000006
【図５】
2013009115.tif 000007
【図６】
2013009115.tif 000008
【図７】
2013009115.tif 000009
【図８】
2013009115.tif 000010
【図９】
2013009115.tif 000011
【図１０】
2013009115.tif 000012
【図１１】
2013009115.tif 000013
【図１２】
2013009115.tif 000014